(57)【要約】【課題】人が椅子に座ると、上半身の体重が骨盤に作用し、この力によって、腰周りの筋肉群が緊張し、骨盤と太ももを左右に広げさせるが、長時間座った姿勢でいることにより、骨盤と腰周りの筋肉群に疲労が蓄積され、腰痛や骨盤がゆがむ原因にもなる。 本発明は、骨盤と腰周りの筋肉群の負担を軽減し、骨盤のゆがみや腰痛等を予防することができる座位状態における支持具を提供することを目的とする。【解決手段】当該座位状態における支持具は、椅子に座る人の太ももを、左右に分離された支持具で、左右の太ももを挟み込むように太ももに密着して配置し、左右の支持具の間隔を、骨盤の矯正の度合いに応じて、簡単に調整できることを特徴とする。また、上記の支持具を、椅子のシート又は座布団と一体にして用いることで、デザイン性及び使いやすさに優れる座位状態における支持具を提供するものである。【選択図】          図１
2013106746.tif 000002
【特許請求の範囲】
【請求項１】
太ももが座面に接触した状態で人が椅子に着座した座位状態において、前記人の骨盤の広がりを抑えるために前記太ももの外開き方向への移動を抑制する座位状態における支持具であって、前記太ももと前記座面との間に挟み込まれて前記太ももの自重が作用することになる下部支持部と、柔軟性を有し、前記太ももの外側面に密着して前記太ももの外開き方向への移動を抑制するよう前記下部支持部の一側位置から上方に突出する側方支持部とを備えていることを特徴とする座位状態における支持具。
【請求項２】
請求項１に記載の座位状態における支持具であって、左右一対のもので構成され、左右両側位置の各下部支持部は、それら両下部支持部同士を連結するための連結部材を備えている、座位状態における支持具。
【請求項３】
請求項 ２に記載の座位状態における支持具であって、前記連結部材は、前記左右両側位置の下部支持部間の間隔を変更調整可能に構成されている、座位状態における支持具。
【請求項４】
請求項１に記載の座位状態における支持具であって、前記座面に載置される連結シートを備え、前記連結シートの上面及び下部支持部の下面には、両者を着脱可能に連結する連結部が設けられている、座位状態における支持具。
【発明の詳細な説明】
【技術分野】
【０００１】
本発明は、骨盤のゆがみを矯正し、腰痛防止及び腰周りにかかる負担を軽減させる座位状態における支持具に関するものである。
【背景技術】
【０００２】
人が椅子に座ると、上半身の体重が骨盤に作用し、この力によって、腰周りの筋肉群が緊張し、骨盤と太ももを左右に広げさせるが、長時間座った姿勢でいることにより、骨盤と腰周りの筋肉群に疲労が蓄積され、腰痛や骨盤がゆがむ原因になる。
【０００３】
この結果、背骨が骨盤部位とともに左右方向いずれかにねじれ、体全体のゆがみを招くことになる。
【０００４】
また、腰痛や骨盤のゆがみは、椅子に座る時、正しい姿勢を維持しづらくして、さらに姿勢を悪くし、猫背等の軸芯の傾斜をもたらし、視力や集中力低下、内臓の圧迫、体の抵抗力の低下、生活習慣病等を引き起こす原因ともある。
【０００５】
従来、腰痛や骨盤のゆがみを治療するという意味から、整体や、骨盤及び腰周りの治療に関する技術、骨盤をゴムベルトで巻く方法などがあり、椅子に関しては、背もたれの角度やシートの尻部を凹形などに変化させ（例えば、特許文献１及び特許文献２）、骨盤を矯正する方法が提案されている。
【０００６】
しかし、人の体格は千差万別であり、それぞれに合う椅子やシート（または座布団）を作ることは複雑で高価になりすぎる欠点がる。
【０００７】
また、骨盤のゆがみの度合いも千差万別であり、その上、骨盤の矯正は少量ずつ時間をかけて行う必要があり、多少弾力性はあるとしても、決まった形の中に一度に骨盤を拘束して矯正しようとすると、かえってさらなる痛みと、違う形のゆがみを発生させる原因ともなる。
【０００８】
【特許文献１】特開２００８−１２６０２５号公報
【特許文献２】特開２０１０−４９６７号公報
【発明の概要】
【発明が解決しようとする課題】
【０００９】
本発明は、このような従来の技術が有していた問題を解決しようとするものであり、利用者の体形や骨盤のゆがみの大小にかかわらず広範囲の人が使用でき、又、支持具の間隔を、骨盤矯正の度合いに応じて簡単に調整できるようにして、骨盤を矯正するのに時間をかけて少量ずつ行うことでができる座位状態における支持具を提供することを目的とするものである。
【課題を解決するための手段】
【００１０】
前記目的を達成するために、人が椅子に座った状態の時に骨盤の広がりを抑えるため、左右の太ももを、左右に分離された支持具１で太ももの外側から挟み込んで骨盤を固定することを特徴とするものであり、この場合、太ももが広がろうとする力は、太ももの下部支持具３に作用する鉛直力により、支持具１と椅子のシート１１（又は座布団１０）との間に生じる摩擦力によって抵抗して、クッション材を静止させるものである。
【００１１】
上記本発明おいて、左右の支持具は互いに分離していることから、椅子のシート１１（又は座布団１０）の表面の材質によっては、個別の支持具だけでは滑りやすく静止しない場合が考えら、本発明の支持具について、ひも等の連結部材で左右の支持具を結合して、個別の支持具だけでは滑りやすい椅子のシート１１（又は座布団１０）にも使用して骨盤を固定することができることを特徴とする。
【００１２】
上記本発明の支持具について、左右の支持具１を、連結シート７で結合して、左右の支持具が外側に広がらず、間隔を一定に保つことも可能であり、この連結シート７の上面と支持具１の下面に、面ファスナ、スナップボタン等の固定具１２が取り付けられ、連結する位置を自由に調節して、治療にもっとも有効な位置を随時選択して、骨盤の矯正を少量ずつ、時間をかけて行うことができ、この連結シートの替わりに椅子のシート１１（又は座布団１０）を利用して、椅子の一部又は座布団の一部として使用することにより、美的なデザイン性及び使いやすさに優れることを特徴とする。
【００１３】
以上の内容を技術的な特定事項としてまとめると、以下のようになる。
【００１４】
すなわち、本発明では、太ももが座面に接触した状態で人が椅子に着座した座位状態において、前記人の骨盤の広がりを抑えるために前記太ももの外開き方向への移動を抑制する座位状態における支持具であって、前記太ももと前記座面との間に挟み込まれて前記太ももの自重が作用することになる下部支持部と、柔軟性を有し、前記太ももの外側面に密着して前記太ももの外開き方向への移動を抑制するよう前記下部支持部の一側位置から上方に突出する側方支持部とを備えているようにした。
【００１５】
これによれば、人が椅子に座った状態の時に骨盤の広がりを抑えるために、太ももを左右から挟み込むように、支持具を太ももに密着させて配置して、左右両側の太ももが左右両側方に広がらないように支持することが可能となり、左右どちらか片側のみが必要であれば、必要とする側のみの支持具を使用し、左右両方とも必要な場合は、左右両方の支持具を使用すればよい。
【００１６】
また、前記発明において、左右一対のもので構成され、左右両側位置の各下部支持部は、それら両下部支持部同士を連結するための連結部材を備えているようにすることもできる。
【００１７】
これによれば、支持具を載置する椅子のシート（又は座布団）の表面が滑りやすく、支持具が静止しにくい場合でも左右支持具間の距離を一定に保つことができるようになる。
【００１８】
この場合、前記連結部材は、前記左右両側位置の下部支持部間の間隔を変更調整可能に構成されているようにしてもよい。
【００１９】
これによれば、利用者の体形や骨盤のゆがみの大小にかかわらず広範囲の人が使用でき、又、支持具の間隔を、骨盤矯正の度合いに応じて簡単に調整できるようにして、骨盤を矯正するのに時間をかけて少量ずつ行うことでができるようになる。
【００２０】
さらに、前記発明において、前記座面に載置される連結シートを備え、前記連結シートの上面及び下部支持部の下面には、両者を着脱可能に連結する連結部が設けられているようにすることもできる。
【００２１】
これによれば、連結する位置を自由に調節して、治療にもっとも有効な位置を随時選択して、骨盤の矯正を少量ずつ、時間をかけて行うことができるようになる。
【発明の効果】
【００２２】
上述したように、本発明の座位状態における支持具は、利用者の体形や骨盤のゆがみの大小にかかわらず使用できるとともに、支持具の間隔を、骨盤矯正の度合いに応じて簡単に調整できるようにして、骨盤の矯正を一度に行うのではなく、少量ずつ時間をかけて、矯正に伴う痛みや新たなゆがみを発生しないようにするのに効果的である。
【００２３】
本発明の構造は単純で小規模であることから経済性に優れるものである。
【図面の簡単な説明】
【００２４】
【図１】本発明の実施形態における支持具の使用状態を示す側面図である。
【図２】本発明の実施形態における支持具の使用状態を示す正面図である。
【図３】本発明の実施形態における支持具を斜め上から見た斜視図である。
【図４】第１実施形態の支持具の断面説明図である。
【図５】第２実施形態の支持具の断面説明図である。
【図６】第３実施形態の支持具の断面説明図である。
【図７】第４実施形態の支持具の断面説明図である。
【図８】第５実施形態の支持具の断面説明図である。
【発明を実施するための形態】
【００２５】
以下に、図面を参照しながら、本発明の実施形態を詳細に説明する。
【００２６】
図１〜図３は、本発明の第１実施形態における支持具の概要図を示し、図１は横方向から見た側面図を、図２は前方向から見た正面図を、図３は斜め上から見た斜視図である。
【００２７】
図１〜図３に示す支持具は、人が椅子に座った状態の時に骨盤の広がりを抑えるために、太ももを左右から挟み込むように太ももに密着させて配置される。
【００２８】
これにより、左右両側の太ももが左右両側方に広がらないように、両太ももを支持するようになっている。
【００２９】
この支持具１は、所定の柔軟性を有するクッション材により形成されている。
【００３０】
形成材料としては、例えば、ウレタン、ポリスチレン等を発砲した発砲プラスチック材、ポリエステル等の樹脂材、ゴムスポンジ、あるいは、織布または不織布の中にそばがら、小豆等の充填材を入れて成型したもの等がある。
【００３１】
支持具１は、その下部（例えば後述の下部支持部３）が、太ももの下に、それぞれの太もものほぼ中心まで回り込んでおり、この部分に作用する太ももからの鉛直力による摩擦力によって、太ももが開こうとする力に対抗して、支持具1が外側に動かないようにしている。
【００３２】
図４は第１実施形態の支持具１の断面説明図であり、支持具１と、支持具１下部の椅子のシート１１（又は座布団１０）との間の摩擦力が十分期待できる時の具体例（例えば、支持具１が発泡プラスチック材で、シート１１又は座布団１０が不織布の場合等）である。
【００３３】
支持具１は、太ももの外側に位置する厚肉の側面支持部２と太もも下部を支える下部支持部３から構成されており、下部支持部３の上面から側面支持部２にかけて凹曲面３１となるように形成されている。
【００３４】
この凹曲面３１により、太ももの側部及び下部を受けて支持されるようになっている。
【００３５】
そして、支持具１が、例えば発砲プラスチック材で形成されているため、適度な弾力を有し、これにより、太もも下部に回り込んでいる太もも下部支持部３からの摩擦力を、側面支持部２に伝えることができるようになる。
【００３６】
このような支持具１の場合は、左右どちらか片側のみが必要であれば、必要とする側のみの支持具１を使用し、左右両方とも必要な場合は、左右両方の支持具１を使用すればよい。
【００３７】
つまり、支持具１は、骨盤を正常な位置に保とうするものであるので、正常でない側（開こうとする側）の脚部の太ももにだけ用いるだけでも効果が期待できるからである。
【００３８】
従って、本支持具１は、片側だけの１つのもの、両側で一対のもの、あるいは、前後２つ以上ずつのもので使用される。
【００３９】
図５は、第２実施形態の支持具１の断面説明図であり、図４の支持具１の下（必要なら側面にも）に、薄い板材４が貼り付けてある。
【００４０】
薄い板材４の形成材料としては、例えば、主材料である鉄板等の金属板、もしくは、ポリエステル等の樹脂材板等の下面に、摩擦力を増強するために、ゴムスポンジ、ウレタン等の発砲プラスチックの薄層を接着したものなどがある。
【００４１】
これにより、より確実に支持具１の横滑りを防止すると共に、使用者の太ももを適切な位置に保持することができる。
【００４２】
すなわち、支持具１の剛性（特に太もも下部の下部支持部３）を高めて、太もも下部に回り込んでいる太もも下部支持部３からの摩擦力を、側方支持部２に確実に伝えることができるようにしたものである。
【００４３】
図６は、第３実施形態の支持具１の断面説明図であり、図５の第２実施形態の支持具１における下部支持部３を省略した構造で、側面支持部２と薄い板材４のみで構成され、経済性を図っている。
【００４４】
この場合でも、太ももが左右外側に広がらないように支持して、骨盤の固定に寄与し得る。
【００４５】
図７は、第４実施形態の支持具１の断面説明図であり、支持具１と支持具１下部の椅子のシート１１（又は座布団１０）との間の摩擦が十分期待できない場合の具体例（例えば、表面がツルツルの皮革等）である。
【００４６】
この場合は、左右両側の支持具１、１を連結材で互いに連結して、太ももが開こうとする力に対抗して、両側の支持具が外側に動かないようにしている。
【００４７】
具体的には、左右の支持具１、１の下部に連結材（ひも、帯等）５を接着するなどして連結し、この連結材を左右太ももの中央付近で連結部（面ファスナ、スナップボタン等）６で結合して、左右の支持具１、１の間隔を一定に保つように構成されている。
【００４８】
しかも、連結部６により、左右の連結材５，５を着脱可能にして、左右の支持具１，１の間隔を変更し得るようにしている。
【００４９】
すなわち、連結部６は、例えば面ファスナ、スナップボタン等の左右の支持具１の離間距離を調節可能な部材で構成されているため、治療にもっとも有効な位置（両支持具１，１の間隔）を随時選択して、骨盤の矯正を少量ずつ、時間をかけて行うことができる。
【００５０】
図８は、第５実施形態の支持具の断面説明図であり、図５又は図６の支持具１の底部に２つの支持具を連結させるための結合部材である連結シート７を有している。
【００５１】
支持具１下面と連結シート７上面には面ファスナ、スナップボタン等の固定具１２が取り付けられており、連結する位置を自由に調節して、治療にもっとも有効な位置を随時選択して、骨盤の矯正を少量ずつ、時間をかけて行うことができる。
【００５２】
この第５実施形態の支持具１は、椅子のシートの一部又は座布団の一部として使用することができ、る。
【００５３】
これにより、美的なデザイン性及び使いやすさに優れた座位状態における支持具１を提供することができる。
【符号の説明】
【００５４】
１    支持具
２    側方支持部
３    下部支持部
４    薄い板材（金属板、樹脂材板等）
５    連結材（ひも、帯等）
６    連結部（面ファスナ、スナップボタン等）
７    連結シート
８    右側の太もも
９    左側の太もも
１０    座布団
１１    椅子
１２    固定具
３１    凹曲面
【図１】
2013106746.tif 000003
【図２】
2013106746.tif 000004
【図３】
2013106746.tif 000005
【図４】
2013106746.tif 000006
【図５】
2013106746.tif 000007
【図６】
2013106746.tif 000008
【図７】
2013106746.tif 000009
【図８】
2013106746.tif 000010